(57)【特許請求の範囲】
【請求項１】
上面部、底面部、一対の側面部及び一対の妻面部により区画されて内部空間を形成し、該内部空間に衛生薄葉紙を収納して取り出し口から該衛生薄葉紙を取り出し可能な衛生薄葉紙収納箱において、
前記上面部の側端縁から延出された上面側フラップと、
前記底面部の側端縁から延出された底面側フラップと、
前記一対の側面部の側端縁からそれぞれ延出された一対の側面側フラップと、
を備え、
前記妻面部は、前記上面側フラップ、前記底面側フラップ及び前記一対の側面側フラップが重畳した状態で、前記上面側フラップと前記底面側フラップの少なくとも一方が一対の前記側面側フラップに接着されており、
前記一対の側面部と前記一対の側面側フラップとの間の折り曲げ線に沿って、当該折り曲げ線に重ならない位置に、一対の第１破断用切込線が、一対の側面部の上下方向の端部から１〜７ｍｍ離間して設けられると共に、前記上面部又は前記底面部に、第２破断用切込線が設けられ、
前記第２破断用切込線は、衛生薄葉紙収納箱の内部空間側へ指の面となる部分で圧力を加えることにより破断され、前記第２破断用切込線から前記第１破断用切込線が続けて破断されることを特徴とする衛生薄葉紙収納箱。
【請求項２】
前記第２破断用切込線は、前記上面部又は前記底面部の中央側に向かって、前記上面部と前記上面側フラップとの間の折り曲げ線又は前記底面部と前記底面側フラップとの間の折り曲げ線から頂点部までの長さが３０ｍｍ以上、前記上面部又は前記底面部の端部から頂点部までの長さが５０〜６０ｍｍである凸状となっている凸状部を備えることを特徴とする請求項１に記載の衛生薄葉紙収納箱。
【発明の詳細な説明】
【技術分野】
【０００１】
本発明は、より容易に解体可能な衛生薄葉紙収納箱に関する。
【背景技術】
【０００２】
従来、積層され、あるいはロール状に巻回された衛生薄葉紙を内部に収納し、上面部等に設けられた取り出し口から内部に収納された衛生薄葉紙を取り出して使用する衛生薄葉紙収納箱が知られている。
このような衛生薄葉紙収納箱として、例えば、薄葉紙の束を収納し得る内部空間が形成された箱状をなす薄葉紙収納用カートンにおいて、上面部、底面部、及び一対の側面部のそれぞれの端縁から延出された４つのフラップ部を備え、その４つのフラップ部が内側に折り曲げられ、重なり合う状態で係合されることによって妻面部が形成される衛生薄葉紙収納カートンがある（例えば、特許文献１参照）。
【０００３】
従来の薄葉紙収納カートンには、薄葉紙を使用後、収納箱を解体して廃棄するために、ミシン目により形成された解体用切込線が妻面に設けられており、これを破断して一対の妻面部を開口させ、筒状とすることにより、収納箱を折り畳める状態としてきた（例えば、特許文献１参照）。
また、底面部に、底面部と一対の妻面部との稜線上における二点を繋ぐＵ字状の解体用切込線を形成し、更に、稜線に沿って、二点から端点に向かって第二の解体用切込線を形成し、底面に形成された解体用切込線に沿って指を押し込むことで、解体用切込線及び第二の解体用切込線を破断させて妻面部を開口させる収納箱もある（例えば、特許文献２参照）。
【先行技術文献】
【特許文献】
【０００４】
【特許文献１】特開２００９−２８６４４７号公報
【特許文献２】特開２００８−１４３５６７号公報
【発明の概要】
【発明が解決しようとする課題】
【０００５】
しかしながら、上記の特許文献１及び２に記載の発明では、妻面部を開口するために、解体用切込線を破断後、内側に折れ曲がっている一対の側面側フラップを外側へ戻す工程が必要になるため、面倒であった。
【０００６】
そこで、本発明の課題は、より容易に解体して折り畳むことができる衛生薄葉紙収納箱を提供することである。
【課題を解決するための手段】
【０００７】
上記課題を解決するために、請求項１に記載の発明は、
上面部、底面部、一対の側面部及び一対の妻面部により区画されて内部空間を形成し、該内部空間に衛生薄葉紙を収納して取り出し口から該衛生薄葉紙を取り出し可能な衛生薄葉紙収納箱において、
前記上面部の側端縁から延出された上面側フラップと、
前記底面部の側端縁から延出された底面側フラップと、
前記一対の側面部の側端縁からそれぞれ延出された一対の側面側フラップと、
を備え、
前記妻面部は、前記上面側フラップ、前記底面側フラップ及び前記一対の側面側フラップが重畳した状態で、前記上面側フラップと前記底面側フラップの少なくとも一方が一対の前記側面側フラップに接着されており、
前記一対の側面部と前記一対の側面側フラップとの間の折り曲げ線に沿って、当該折り曲げ線に重ならない位置に、一対の第１破断用切込線が、一対の側面部の上下方向の端部から１〜７ｍｍ離間して設けられると共に、前記上面部又は前記底面部に、第２破断用切込線が設けられ、
前記第２破断用切込線は、衛生薄葉紙収納箱の内部空間側へ指の面となる部分で圧力を加えることにより破断され、前記第２破断用切込線から前記第１破断用切込線が続けて破断されることを特徴とする。
【０００８】
請求項２に記載の発明は、請求項１に記載の衛生薄葉紙収納箱において、
前記第２破断用切込線は、前記上面部又は前記底面部の中央側に向かって、前記上面部と前記上面側フラップとの間の折り曲げ線又は前記底面部と前記底面側フラップとの間の折り曲げ線から頂点部までの長さが３０ｍｍ以上、前記上面部又は前記底面部の端部から頂点部までの長さが５０〜６０ｍｍである凸状となっている凸状部を備えることを特徴とする。
【発明の効果】
【００１０】
本発明によれば、第１破断用切込線及び第２破断用切込線に沿って破断すれば、一対の側面側フラップと、上面側フラップ又は底面側フラップを１つの工程で破断することができ、側面側フラップを外側へ戻す工程を必要とせず、解体が容易である。
【図面の簡単な説明】
【００１１】
【図１】本実施形態の衛生薄葉紙収納箱の斜視図である。
【図２】本実施形態の衛生薄葉紙収納箱の展開図である。
【図３】図１の衛生薄葉紙収納箱の解体方法を説明するための図である。
【図４】本実施形態の第２破断用切込線の変形例である衛生薄葉紙収納箱の展開図である。
【発明を実施するための形態】
【００１２】
以下、本発明の実施の形態に係る衛生薄葉紙収納箱について、図面を参照しながら詳細に説明する。ただし、発明の範囲は、図示例に限定されない。
本発明の実施の形態では、衛生薄葉紙収納箱として、衛生薄葉紙としてのティシューペーパーＴを収納する、ティシューカートン１を例示して説明を行う。
【００１３】
本実施形態に係るティシューカートン１は、図１に示すように、上面部２、底面部３、一対の側面部４、４及び一対の妻面部５、５により区画された箱体により構成されている。図２に示すように、上面部２、底面部３及び一対の側面部４、４の両側端縁から、それぞれ上面側フラップ５ｂ、底面側フラップ５ａ、一対の側面側フラップ５ｃ、５ｃが延出されており、各フラップを内側に折り曲げ、接着することにより妻面部５、５が形成される。
また、図１及び図２に示したように、一対の側面側フラップ５ｃ、５ｃの折り曲げ線に沿って、ミシン目からなる一対の第１破断用切込線１３、１３が設けられると共に、底面部３には、一対の第１破断用切込線１３、１３を連結する第２破断用切込線１４が設けられている。
このティシューカートン１の内部空間には、ティシューペーパーＴが積層された積層体が収納されており、上面部２に形成された取り出し口１２からティシューペーパーＴを外部へ取り出すことができるようになっている。
【００１４】
ここで、「箱体」とは、ティシューペーパーＴを収納し得る内部空間が形成される形状のものであり、例えば、直方体状、立方体状等の六面体状のものを挙げることができる。例えば、図１は、ティシューカートン１を直方体状に構成した例である。
六面体の形状では、上面部２、底面部３、一対の側面部４、４及び一対の妻面部５、５がそれぞれ対向するように平行に配置される。なお、これらの形状において、二つの面の稜線部分を面取りしたもの等も「箱体」に含まれるものとする。
【００１５】
上面部２には、図１及び図２に示すように、取り出し口１２を覆うように内部空間側からスリット８ａを有する樹脂製の窓貼りフィルム８が備えられている。窓貼りフィルム８は、上面部２裏面の取り出し口１２周囲に塗布された接着剤により糊付けされている。そして、ティシューペーパーＴは、このスリット８ａを通して外部に取り出されることとなる。
なお、窓貼りフィルム８の材質は、ポリエチレンやポリプロピレンが採用されるが、これらに限定されない。
【００１６】
上面部２、底面部３及び一対の側面部４、４は、それぞれ略長方形状に形成され、折り曲げ可能に連接されている。そして、底面部３の長手端縁には、側面部４の長手端縁と連結するための台形状の糊代部３ａが折り曲げ線３ｂにて折り曲げ可能に連接されている。このように形成されたカートンブランク１ａは、上面部２、底面部３及び一対の側面部４、４をそれぞれ折り曲げすると共に、糊代部３ａを折り曲げして底面部３と連接していない側の側面部４の裏面の長手端縁に糊付けして底面部３と側面部４とを連結することにより、筒状に形成される。
【００１７】
上面側フラップ５ｂ、底面側フラップ５ａ及び側面側フラップ５ｃは、内側に折り曲げ可能に連接されている。そして、側面側フラップ５ｃを、対向配置される側面側フラップ５ｃの端部が対向するように、それぞれ内側に折り曲げし、次に、底面側フラップ５ａを折り曲げして、側面側フラップ５ｃの外面側に設けられた接着部Ｇ１によって側面側フラップ５ｃに貼着する。続いて、上面側フラップ５ｂの裏面（内側面）端部が底面側フラップ５ａの外面端部に重畳するように、上面側フラップ５ｂを折り曲げし、底面側フラップ５ａに対して接着部Ｇ１によって貼着する。ここで、図示していないが、上面側フラップ５ｂの裏面端部の所定部位には接着部が設けられており、上面側フラップ５ｂが底面側フラップ５ａに対して貼着される。このようにして、上面側フラップ５ｂ、底面側フラップ５ａ及び一対の側面側フラップ５ｃ、５ｃが重畳するように取り付けられることにより、図１に示されるような妻面部５が形成されるようになっている。
なお、上面側フラップ５ｂを先に折り曲げし、側面側フラップ５ｃと接着させてもよく、この場合、底面側フラップ５ａの裏面端部の所定部位には接着部が設けられているものとする。また、上面側フラップ５ｂと底面側フラップ５ａの少なくとも一方は側面側フラップ５ｃと接着されているものとする。
【００１８】
図１及び図２に示したように、一対の側面側フラップ５ｃ、５ｃの折り曲げ線に沿って、ミシン目からなる一対の第１破断用切込線１３、１３が設けられている。この一対の第１破断用切込線１３、１３は、底面部３において、第２破断用切込線１４により連結されている。第２破断用切込線１４は、底面部３の中央に向かって凸状になっている凸状部１４ａを備えており、ティシューカートン１を解体するための起点となっている。
図２に示した第２破断用切込線１４は、指の面となる部分で圧力を加えることにより破断される凸状部１４ａから形成されている。
【００１９】
次に、図３を用いて、ティシューペーパー使用後のティシューカートン１の解体方法について説明する。
図３（ａ）に示したように、底面部３に設けられている第２破断用切込線１４の凸状部１４ａと上面部２を、それぞれ親指と、人差し指から小指で掴むようにして持つ。続いて、図３（ｂ）に示したように、第２破断用切込線１４を指の面となる部分で押し込んで破断し、指を押し込んだまま妻面部５を掴み、外側に倒すようにして一対の第１破断用切込線１３、１３を破断する。これにより、図３（ｃ）に示したように、妻面部５を開口することができる。
この工程を両側の妻面部５、５に対して施すことにより、ティシューカートン１を筒状にすることができ、窓貼りフィルム８が見える状態となる。窓貼りフィルム８を剥がせば、すぐにティシューカートン１を折り畳んで廃棄することができる。
本実施形態では、一対の第１破断用切込線１３、１３及び第２破断用切込線１４を破断することにより、一対の側面側フラップ５ｃ、５ｃを同時に破断できるため、従来の発明のように、側面側フラップ５ｃを外側へ戻す工程を必要とせず、ティシューカートン１を容易に解体して折り畳むことができる。
【００２０】
図２に示した第２破断用切込線１４の凸状部１４ａは、指の面となる部分、特に親指の面となる部分で圧力を加えることで破断するのに適した形状であり、長さＬを約５０〜６０ｍｍとしており、底面部３の中央に向かった凸状部１４ａの頂点が底面側フラップ５ａの折り曲げ線から３０ｍｍ以上としている。すなわち、成人の親指の平均の長さが約５０〜６０ｍｍ、幅が約１５〜３０ｍｍであり、破断に最も負荷をかける箇所に親指が収まる形状となっている。これにより、親指全体に力をかけた際の負荷が分散され、破断に必要な力が低減されるため、弱い力で破断することができ、力の弱い子供や爪を伸ばしている生活者でも容易に解体して折り畳むことができる。
また、指の面となる部分による圧力で破断する際の破断しやすさ、生産時の生産性、輸送や保管時の強度の面から、第１破断用切込線１３と第２破断用切込線１４におけるミシン目のタイカット比は１：０．５〜１：６の範囲が適しており、特に１：２〜１：５の範囲が適している。
【００２１】
以上で説明したように、本発明の衛生薄葉紙収納箱によれば、一対の側面側フラップ５ｃ、５ｃの折り曲げ線に沿って、ミシン目からなる一対の第１破断用切込線１３、１３が設けられ、これらは、底面部３に設けられた第２破断用切込線１４により連結されており、この切込線の凸状になっている凸状部１４ａを指の面となる部分で圧力を加え、そのまま妻面部５を掴んで、外側に倒すようにして一対の第１破断用切込線１３、１３を破断することにより両側の妻面部５、５を開口し、ティシューカートン１を解体して折り畳むことができる。
【００２２】
「変形例」
次に、第２破断用切込線１４の変形例について、図４を用いて説明する。
図４に示す第２破断用切込線１４Ａは、底面部３の中央に向かって凸状を形成する曲線部１４ｂと、曲線部１４ｂの両端から底面部３の幅方向端部に向かって、底面側フラップ５ａの折り曲げ線に平行な直線と、この直線と第１破断用切込線１３とを結ぶ直線とからなる折れ線部１４ｃと、から形成されている。この曲線部１４ｂの形状は、半円や楕円形状等、この形に限られるものではないが、底面部３の端部から曲線部１４ｂの頂点部への長さは第２破断用切込線１４の長さＬと同等の約５０〜６０ｍｍとするのが好ましい。また、折れ線部１４ｃは折れ線でなくてもよく、曲線部１４ｂと一対の第１破断用切込線１３、１３とを連結させる形状であればよい。
図４に示した第２破断用切込線１４Ａも同様に、指の面となる部分で押し込んで、曲線部１４ｂと折れ線部１４ｃに沿って破断し、そのまま妻面部５を掴んで外側に倒すようにして、一対の第１破断用切込線１３、１３に沿って破断し、両側の妻面部５、５を開口することにより、ティシューカートン１を解体して折り畳むことができる。
【００２３】
なお、本発明は、上記の実施形態のものに限られない。具体的には、上記の実施形態では、第２破断用切込線１４を底面部３に設け、妻面部５を破断する態様を説明したが、第２破断用切込線１４を上面部２に設けてもよい。
【００２４】
また、本実施形態のティシューカートン１は、側面側フラップ５ｃの折り曲げ線に沿って第１破断用切込線１３が設けられており、上下方向の強度が弱くなっているため、第１破断用切込線１３の端部１〜７ｍｍのミシン目線を外すことにより解決され、生産、輸送及び保管に必要な強度を保つことができる。
【符号の説明】
【００２５】
Ｔ        ティシューペーパー
Ｇ１      接着部
１        ティシューカートン（衛生薄葉紙収納箱）
１ａ      カートンブランク
２        上面部
３        底面部
３ａ      糊代部
３ｂ      折り曲げ線
４        側面部
５        妻面部
５ａ      底面側フラップ
５ｂ      上面側フラップ
５ｃ      側面側フラップ
８        窓貼りフィルム
８ａ      スリット
１２      取り出し口
１３      第１破断用切込線
１４、１４Ａ    第２破断用切込線
１４ａ    凸状部
１４ｂ    曲線部
１４ｃ    折れ線部
【図１】
0006002729.tif 000002
【図２】
0006002729.tif 000003
【図３】
0006002729.tif 000004
【図４】
0006002729.tif 000005